(57)【要約】      （修正有）【課題】食品等の一般家屋等における放射線の簡易測定時おいて、大規模な遮断装置の設置の必要なしに、環境放射線を有効に遮断し、環境バックグラウンドの数値を限りなく低く保つことにより、より低い値の検出を可能にする。【解決手段】外部のカバー1―3並びに内部のカバー１−４の内部に水もしくは水分を保持できる高分子ポリマーに水分を含有させた放射線遮断物質１とその内側にシート状に加工した鉛１−５を有し、その中央部の空間に放射線の簡易測定装置を配置できる構造を持つ。外部カバー１−３並びに内部カバー１−４は、中空構造を有し、その内部に水若しくは水分を自在に給排水できる水注入排水口１−２を有し、保管時並びに搬送時には折りたたみが可能な環境放射線遮断器具１を使用することにより、環境放射線を半減せしめることが可能である。【選択図】図１
2013234872.tif 000002
【特許請求の範囲】
【請求項１】
放射線の簡易測定装置が配置可能な内部空間を有する環境放射線遮断枠体を備えたものであって、
前記環境放射線遮断枠体は、所定の放射線遮断物質が充填可能な内外壁部を有する二重壁面構造体から構成され、
前記環境放射線遮断枠体の二重壁面構造体の少なくとも内壁部には、鉛シート遮蔽部が設置されていることを特徴とする放射線簡易測定装置用環境放射線遮断器具。
【請求項２】
外部の放射線遮断物質を保持するカバー部と、
その内部に水もしくは水分を保持する高分子ポリマーに水分を含有させた放射線遮断物質と、
内部カバー部内側配置したシート状の鉛とを有し、
上記シート状の鉛の中央の空間部分に放射線の簡易測定装置を配置する構造を持つ放射線簡易測定装置用環境放射線遮断器具。
【請求項３】
前記中央部の上部に、請求項２と同様の構造を持つ蓋部を有し、中央部の放射線の簡易観測装置を密封する構造の放射線簡易測定装置用環境放射線遮断器具。
【請求項４】
前記カバー部並びに蓋部に自在に開閉する水注入排出口有する請求項１〜２のうちいずれか一項記載の放射線簡易測定装置用環境放射線遮断器具。
【請求項５】
前記カバー部若しくは蓋部が、水を排出した状態において、自在に折りたたみ可能で、容易に携帯することができる構造の請求項２〜３のうちいずれか一項記載の保温器具。
【発明の詳細な説明】
【技術分野】
【０００１】
本発明は、環境放射線の測定、若しくは、固体ならびに粉体及び液体の放射能含有量測定時の環境放射線の影響を調整する器具に関する。
【背景技術】
【０００２】
食品並びに土壌等の個体または粉体、及び水や牛乳等の液体内に含有する放射線同位体から発せられる放射線量の測定を行う場合には、精密検査としてゲルマニウム半導体検出器を使用し、通常検査としてはＮａＩシンチュレーション検出器等を使用するのが通常である。  
【０００３】
平成２３年３月１１日の東日本大震災に係わる福島第一原子力発電所の事故以来、当該原子力発電所から放出された放射性同位元素による食品、並びに土壌等の放射能汚染が東日本の広範囲に広がり、当該事故由来の放射線量の測定の需要が平成２３年３月１１日以前と比較して、大幅に増加している。
【０００４】
しかしながら精密検査に使用するゲルマニウム半導体検出器は非常に高価であり、また、装置自体の重量が重く、通常の家屋等では使用できるものではなく、また、その測定に関しても、専門的な知識とスキルが必要であるとされている。更にＮａＩシンチュレーション検出器に関しても、その価格は数百万円であり、個人若しくは市民レベルの団体等が、通常食する食品等に関して、簡易に放射線量を測定することは難しいのが現状であった。  
【０００５】
しかしながら、市民レベルにおける食品等による内部被爆の心配は、行政や流通業者による放射線量測定のデータが乏しいこと、更に流通過程で汚染されている食品が検査をすり抜けて流通することなどが、店頭に商品が陳列された後に発見される等、大きくなるばかりであり、現在、空間放射線測定用の所謂サーベイメータの内、ＣｓＩシンチュレーションメータと呼ばれる機器がその精度と保守性の良さ並びに価格が安価であることなどにより、多くの行政機関や個人レベルでの空間線量測定機器として定着してきている。このＣｓＩシンチュレーションメータを検出器として使用し、食品、土壌並びに飲料水や乳製品の放射線量測定を簡易的に行うキット等も日本国内の製造業者から発表されている。この簡易測定キットを使用することにより、個人レベルにおいてもある程度の精度で、食品や土壌、飲料水や乳製品等の放射線量測定が可能となった。
【０００６】
しかし、当該簡易測定キットなる機器は、環境放射線を遮断する機構が無いために、測定前に環境放射線量（環境バックグラウンド値）を予め測定し、試料としての検体の測定後、当該環境放射線量を試料の測定値から差し引く、という作業が必要であった。  
【０００７】
この作業が必要な為に、環境放射線量の高い地域においては、試料の話放射線含有量が微量である場合、測定下限以下となる数値が高くなってしまうため、測定ができなくなる、という状況が多く見られた。例えば東京都下多摩地域における平成２４年２月現在の環境放射線量は、０．０５μＳｖ／ｈ〜０．１０μＳｖ／ｈ程度であるが、平成２４年４月から実施される食品等の安全基準値である１００Ｂｑ／ｋｇが含有する玄米中の放射線量を測定する場合、環境放射線が０．０７μＳｖ／ｈ以下の場所で測定を行わないと、ＮＤ（Ｎｏｔ  Ｄｅｔｅｃｔ）即ち検出不能という検出結果となってしまう。
【０００８】
これら簡易測定キットの使用は、個人レベルでの使用がほとんどであるため、使用場所も一般家屋であり、環境放射線の遮断を行える構造にはなく、実際に測定を行う地域で産出された野菜等の食品の多くは、その場所の環境放射線の影響を売れて生育しているので、ぎりぎり検出不能となってしまう程度の放射線の含有が認められる場合が非常に多く、何らかの方法により、測定時に環境放射線を遮断し、環境バッククラウンド値を低く抑える工夫が必要とされていた。
【先行技術文献】
【非特許文献】
【０００９】
【非特許文献１】「財団法人原子力安全技術センター  放射線施設のしゃへい計算実務マニュアル２００７」、表６．４．３（１３）放射性同位元素からのγ線の実効線量透過率―８１Ｒｂ―、Ｐ６―４２」
【非特許文献２】「財団法人原子力安全技術センター  放射線施設のしゃへい計算実務マニュアル２００７」、表６．４．３（２７）放射性同位元素からのγ線の実効線量透過率―１３７Ｃｓ―、Ｐ６―４９」
【発明の開示】
【発明が解決しようとする課題】
【００１０】
そこで本発明の目的は、ＣｓＩシンチュレーションサーベイメータ等を使用し、食品、土壌並びに飲料水、乳製品等の放射線量の簡易測定時において、環境放射線を有効に遮断し、測定場所の環境バックグラウンド値を低く抑えることにより、安全基準付近の放射線含有量を有効に検出しうる環境放射線遮断器具を提供することにある。
【課題を解決するための手段】
【００１１】
上記課題を解決するために、環境放射線遮断物質として、水の並びにシート状に薄く加工した鉛の性質に着目した。放射線を遮断する物質としては、その放射線の種類によって異なる。放射性同位元素から放出される放射線は、その波長の長さによりα線、β線、γ線、中性子線等に分類され、現在福島第一原子力発電所の事故由来の放射線を発する物質としては、主にセシウム１３４並びにセシウム１３７が想定され、これらの原子核の壊変時に発せられる放射線はβ線とγ線である。当該放射線を遮断する物質としては、厚さ１０ｃｍ以上のコンクリート、鉛も若しくはダングステン、更には水が想定できる。さらに環境放射線においては、福島第一原子力発電所事故由来の放射性セシウムを除くと、その大半が自然に存在しているラドン８１であり、ラドン８１も壊変時にβ線とγ線を放出する。これら環境放射線の遮断を想定する場合、簡易測定器の周囲にこれらの環境放射線遮断物質を隙間無く配置することになるため、コンクリートや金属の成型物類は、その重量や加工の難易性、さらに内部の測定器の検出部の確認が不可能となってしまうために不適である。したがって、本発明では、環境放射線の遮断に水を使用し、簡易測定キットの周囲を隙間無く水で覆い、更に０．３ｍｍ程度に加工した鉛のシートをその内部に配置せしめることにより、環境放射線の簡易測定キットへの進入を防ぎ、環境バックグラウンド値を下げることを手段として用いる。
【００１２】
本発明の放射線簡易測定装置用環境放射線遮断器具は、外部のカバー部とその内部に水もしくは水分を保持できる高分子ポリマーに水分を含有させた放射線遮断物質と内部カバーの内側にシート状に加工しＣｓＩシンチュレーションサーベイメータの表示部のみ窓状の開口部を開けた鉛を配置し、放射線遮断構造を有し、その中央部の空間に放射線の簡易測定装置を配置できる構造を持つ。外部カバー部は、中空構造を有し、その内部に水若しくは水分を含有した高分子吸水性ポリマーを配置し、その内部に放射線簡易計測器具を配置し、周囲の環境放射線を遮断できる構造としている。
【００１３】
更に前記簡易測定装置の上部に、外部カバー部と同様の構造を持つ蓋部を有し、中央部の放射線の簡易観測装置を密封できる構造とする。
【００１４】
更に前記カバー部並びに蓋部に自在に開閉できる水注入排出口を有し、通常の保管時並びに搬送時には、カバー部内部の水または水分を排出せしめ、保管並びに搬送を容易にし、使用時には当該注水口より水を注入せしめることにより、環境放射線の遮断ができる構造を有する。
【００１５】
前記カバー部若しくは蓋部が、水を排出した状態において、自在に折りたたみ可能で容易に携帯できる構造を有する
【００１６】
これら外部カバー部を構成する素材としては、材質的に透明であり、内部の検出器表示部の数値の目視が可能で、水を有効に保持できるポリエチレン若しくはポリプロピレンが好適である。これらの素材は、現状において非常時に使用する水タンク等の素材して使用され、水分を外部に漏らすことなく保持し、かつ、内部の状況を目視することが可能となる。また、その加工は、溶着を行うことにより完全結合とすることが可能であり、成型も容易である。
【００１７】
更にこれらの材質は、保管時に水を排出した状態で折畳んで保管することが可能であり、搬送時にも軽量でかさばることがなく、容易に搬送を行うとこが可能となる。
【発明の効果】
【００１８】
以上説明してきたように、本発明保温器具によれば、安価な材料を効果的に使用することにより、食品等の簡易放射線測定時における環境放射線の遮断を効果的に行うことができる。
【図面の簡単な説明】
【００１９】
【図１】本発明の環境放射線遮断器具の一好適例を示す断面図である。
【図２】図１に示す環境放射線遮断器具の使用状態を示す斜視図である。
【図３】環境放射線遮断器具の本体を示す斜視図である。
【図４】環境放射線遮断器具の蓋部を示す斜視図である。である。
【発明を実施するための形態】
【００２０】
以下、本発明の具体的な実施の形状について図面を参照しつつより詳細に説明する。
図１に、本発明の環境放射線遮断器具１の一好適例の断面図を示す。図示するように、環境放射線遮断器具の本体１は、後述する放射線の簡易測定装置４が配置可能な内部空間を有する環境放射線遮断枠体を構成するものであって、本体水注入排出口１−２と、本体外部カバー部外側（外壁部）１−３と、本体外部カバー部内側（内壁部）１−４及び鉛シート遮蔽部１−５を備えている。また、蓋部２も、環境放射線遮断枠体を構成するものであり、蓋部水注入排出口２−２と、蓋部外部カバー部外側（外壁部）２−３と、蓋部外部カバー部内側（内壁部）２−４及び鉛シート２−５を備えていて、これらの本体１と蓋部２とは、接続器具３−１で接続される。この構造により、本体外部カバー部内側鉛シート遮蔽部１−５の内部に設置される簡易放射線測定器具４は、完全に水１−１の層並びに鉛シート１−５により外部と遮断される状況を作り出すことができる。    
【００２１】
また、本発明の環境放射線遮断器具の環境放射線遮断枠体を構成している本体１及び蓋部２は、所定の放射線遮断物質が充填可能な内外の壁部を有する二重壁面構造体から構成されたものであって、本体１の本体外部カバー部外側１−３及び本体外部カバー部内側１−４を構成する部材、並びに蓋部２の外部カバー部外２−３及び蓋部外部カバー部内側２−４を構成する部材は、例えばポリエチレン並びにポリプロピレンのシートから形成され、それらの部材は熱溶着により結合されて一体化された構造を有している。したがって、環境放射線遮断器具本体１並びに蓋部２は自在に任意な形に加工することが可能である。
【００２２】
このような二重壁面構造体から構成された環境放射線遮断器具の本体１並びに蓋部２の内部１−１並びに２−１には、放射線遮断物質として水もしくは水分を含有した高分子吸水ポリマーが充填され、更に放射線遮蔽物質として、鉛をシート状に加工したものが内壁部１−４並びに２−４に配置されている。財団法人原子力安全センター出版による放射線施設のしゃへい計算実務マニュアル２００７によると、セシウム１３７の放出するγ線に関しては、０．３ｍｍの鉛により０．７７７に、２０ｃｍの水により０．６９９の実効線量透過率にすることができるとしている。したがってこれらを組合せることにより、セシウム１３７から放出されるγ線の実効線量透過率を５４．３％とすることができる。更に環境放射線中の半数以上を占めるラドン２２２は、セシウム１３７同様にβ壊変によりβ線とγ線を放出し、セシウム１３７と同様に水と鉛により実効線量透過率の減少を生じさせることが可能である。現在の東京都多摩エリアの場合には、環境放射線に占める放射線同位元素の内、約６０％がラドン２２２であり、３５％がセシウム１３４並びにセシウム１３７であるとされている。セシウム１３７とセシウム１３４の実率放射線透過率は変わらないことから、環境放射線量が０．０５から０．０８μＳｖ／ｈである地域の場合には、したがって環境放射線遮断器具本体内部の水、又は水分を含有した高分子吸水ポリマー１−１と環境放射線遮断器具蓋部内部の水、又は水分を含有した高分子吸水ポリマー２−１の間に２０ｃｍの厚みの水分が挿入可能で、更にその内側境放射線遮断器具本体外部カバー部鉛シート遮断部並びに環境放射線遮断器具蓋鉛シート遮断部に０．３ｍｍの鉛シートを配置した本発明の放射線遮断器具を用いることにより、測定時の環境バックグラウンド値を０．０２μＳｖ／ｈから０．０４Ｓｖ／ｈの値に下げることが可能となる。この効果により、平成２４年４月より施行される食品に係わる放射線量基準値の飲料水並びに幼児用食品及び乳製品の放射線含有量の検査も可能となる。
【００２３】
本体蓋接合器具３−１は、例えば、ベルクロ等のシート状の接合器具が好適である。ベルクロ等のシート状接合器具は、本体上部と蓋を自在に密着させることが可能であり、本体内部に設置する簡易放射線測定器具４に装着されるＣｓＩシンチュレーシュンサーベイメータ５が、パーソナルコンピュータ等によりデータ抽出が可能な機種の場合においても、その接続用ケーブルの取り出しも有効に行うことができる。
【００２４】
更に環境放射線遮断器具の本体１並びに蓋部２には、当該器具内部に自在に水を注入でき、また、自在に排出することが可能となる水注入排出口１−２並びに２−２が設置されている。この水注入排出口１−２並びに２−２にはポリプロピレン等樹脂製のねじを切った構造の内部を有するキャップ有し、内側にねじをきった構造のメス型に当該キャップをねじ込むことにより本体１−１並びに蓋部２−１の内部に存在する水分を、漏れ出すことなく内部に保持できる構造を持つ。
【００２５】
本体外部カバー部外側１−３及び本体外部カバー部内側１−４、並びに蓋部外部カバー部外側２−３及び蓋部外部カバー部内側２−４の素材は、本体内部に設置されるＣｓＩシンチュレーシュンサーベイメータ５の表示部の数値を本体外部カバー部外側１−３から目しにて読み取る必要があるために、透明な材質であることが必要とされるが、ＣｓＩシンチュレーシュンサーベイメータ５に外部出力機構が備えられている場合で、パーソナルコンピュータ等外部記憶装置へ検出数値の出力が可能な場合には、ＣｓＩシンチュレーシュンサーベイメータ５の表示部の数値を目視で確認する必要がなくなることから、例えばＰＣＶ等の透明性の無い素材であっても、水分の保持が可能であり、熱溶着により自在に接合が可能であり、自在に折りたたんで搬送が可能な素材であれば、好適に使用することが可能である。更にこの場合には、本体内部カバー部の内側に配置する鉛シート遮断部に線量計の表示部目視用の開口部を設ける必要もない。
【産業上の利用可能性】
【００２６】
本発明の産業上の利用分野は、地方自治体等の一般行政機関並びに専門機関以外の食品、土壌、流体等の放射線量測定に係わる。
【符号の説明】
【００２７】
１      環境放射線遮断器具本体  
１−１  環境放射線遮断器具本体内部の水、又は水分を含有した高分子吸水ポリマー
１−２  環境放射線遮断器具本体水注入排出口
１−３  環境放射線遮断器具本体外部カバー部外側
１−４  環境放射線遮断器具本体外側カバー部内側
１−５  環境放射線遮断器具本体外部カバー部鉛シート遮断部
２  環境放射線遮断器具蓋部
２−１  環境放射線遮断器具蓋部内部の水、又は水分を含有した高分子吸水ポリマー
２−２  環境放射線遮断器具蓋部水注入排出口
２−３  環境放射線遮断器具蓋部外部カバー部外側
２−４  環境放射線遮断器具蓋外側カバー部内側
２−５  環境放射線遮断器具蓋鉛シート遮断部
３−１  本体蓋部接続器具
４  簡易放射線測定器具
５  ＣｓＩシンチュレーションサーベイメータ
【図１】
2013234872.tif 000003
【図２】
2013234872.tif 000004
【図３】
2013234872.tif 000005
【図４】
2013234872.tif 000006